(57)【特許請求の範囲】
【請求項１】
顔写真付きのＩＤカードを発行する装置であって、
被撮影者の顔を撮影するカメラと、
前記被撮影者の付随情報が記されている撮影カードの挿入される撮影カード挿入部と、
前記撮影カードに記されている前記付随情報を読み取る撮影カード読み取り部と、
前記カメラで撮影された画像と、前記撮影カード読み取り部で読み取った前記被撮影者の前記付随情報とをＩＤカードに印刷するプリンタと、
該カメラが収容された上部ケーシングと、
前記プリンタ及び操作パネルが備えられた下部ケーシングと、
を備え、
前記上部ケーシングが前記下部ケーシングに対して回動可能となるように連結されていて、
前記上部ケーシングのカメラの向きと前記下部ケーシングの操作パネルの向きとが一致したセルフ撮影位置と、両者の向きが異なるオペレータ撮影位置との両位置において撮影可能であることを特徴とする顔写真付きＩＤカード発行装置。
【請求項２】
前記被撮影者の前記付随情報を前記ＩＤカード発行後に消去することを特徴とする請求項１に記載の顔写真付きＩＤカード発行装置。
【請求項３】
前記上部ケーシングと前記下部ケーシング及び／又は前記下部ケーシングが、縦・横・高さの合計が１６００ｍｍ以下の寸法、重量２５ｋｇ以下に分割でき、かつ再組立容易であることを特徴とする請求項１又は２に記載の顔写真付きＩＤカード発行装置。
【発明の詳細な説明】
【技術分野】
【０００１】
本発明は、顔写真を自動的に撮影する装置に関し、特には、被撮影者の操作によるセルフ撮影と、オペレータによる撮影とに適した姿勢をとることのできる顔写真撮影装置などに関する。
【背景技術】
【０００２】
顔写真を自動的に撮影する装置は、履歴書などの各種証明書に貼付するための顔写真や、顔写真が印刷されたシールを提供するものが一般的である。このタイプの装置は、撮影ボックス内にセルフタイマー式のカメラを備え、顔写真を自動的に撮影した後、プリントして写真を被撮影者に提供するものがある。
【０００３】
撮影した写真をＩＤカードに添付する場合は、従来では、社員や生徒を一人ずつ写真撮影した後、プリントされた写真を、被撮影者の情報（社員番号や所属など）が書かれたカードと照らし合わせて、写真をカードに貼付するという作業を行っていた。この場合、撮影者（オペレータ）を手配して、被撮影者を集合させる必要があった。また、撮影後には、写真とカードとを照合する作業に手間がかかり、ミスが起こりやすい。
【０００４】
このような顔写真撮影装置は、装置を、被撮影者が共通で使用する場所（食堂や建物の入口など）に設置しておいて被撮影者自身が適宜な時間に撮影することができるので、オペレータを手配したり、全員を集合させる必要がない。しかし、短時間で大人数の被撮影者を撮影する必要がある場合は、被撮影者を集合させて、オペレータが次々と撮影することが作業効率の点で好ましい。
【０００５】
一方、ＩＤカードに顔写真を印刷する装置も使用されている。このような装置は、発行済みのＩＤカードに顔写真印刷エリアを設定し、そのエリアに撮影された顔写真を印刷するものである。この装置を使用すれば、カードを本人が持参して写真撮影を行うので、写真とカードとの照合ミスなどはなくなるが、一度ＩＤカードを発行してから、顔写真を撮影して印刷するという二段階のプロセスが必要になり、顔写真が印刷されて個人情報が印刷又は記憶された完成したＩＤカードを効率的に発行する場合には適さない。
【発明の開示】
【発明が解決しようとする課題】
【０００６】
本発明は、上記の点に鑑みてなされたものであって、被撮影者による自動撮影とオペレータによる撮影とに適した姿勢をとることのできる顔写真撮影装置を提供することを目的とする。さらには、顔写真と個人情報とが印刷されたカードを効率的に発行できる顔写真撮影装置を提供することを目的とする。
【課題を解決するための手段】
【０００７】
本発明に関連する顔写真撮影装置は、 顔写真を自動的に撮影する顔写真撮影装置であって、 被撮影者の顔を撮影するカメラと、 該カメラが収容された上部ケーシングと、 操作パネルが備えられた下部ケーシングと、を備え、 前記上部ケーシングが前記下部ケーシングに対して回動可能となるように連結されていて、 前記上部ケーシングのカメラの向きと前記下部ケーシングの操作パネルの向きとが一致したセルフ撮影位置と、両者の向きが異なるオペレータ撮影位置との両位置において撮影可能であることを特徴とする。
【０００８】
被撮影者自身が撮影を行うセルフ撮影の際は、一般的な自動顔写真撮影装置と同様に、上部ケーシングのカメラの向きが操作パネルの向きとが一致するようにセットして、被撮影者がカメラのレンズの前に位置して、操作パネルを操作しながら写真撮影を行う。一方、オペレータが撮影を行う場合は、上部ケーシングのカメラの向きが、操作パネルの向きと異なる方向、例えば反対方向を向くようにセットする。そして、被撮影者はカメラのレンズの前に位置し、オペレータは操作パネルの前に位置して、パネルを操作しながら写真撮影を行う。なお、カメラのレンズの向きと操作パネルの向きが一致するあるいは少しズレるようにセットした場合でも、オペレータによる撮影は可能である。しかし、短時間で大人数の写真撮影が必要な場合は、レンズの向きと操作パネルの向きとを反対に、あるいは９０°以上の角度を持たせるようにセットした方が作業性がよい。
【０００９】
本発明のベースとなるカード発行装置は、 顔写真付きのカードを発行する装置であって、 被撮影者の顔を撮影するカメラと、 前記カメラで撮影された画像と、被撮影者の付随情報とをカードに印刷するプリンタと、 該カメラが収容された上部ケーシングと、 前記プリンタ及び操作パネルが備えられた下部ケーシングと、を備え、 前記上部ケーシングが前記下部ケーシングに対して回動可能となるように連結されていて、 前記上部ケーシングのカメラの向きと前記下部ケーシングの操作パネルの向きとが一致したセルフ撮影位置と、両者の向きが異なるオペレータ撮影位置との両位置において撮影可能であることを特徴とする。
【００１０】
以上の発明においては、  前記上部ケーシングと前記下部ケーシング及び／又は前記下部ケーシングが分割・再組立容易であることが好ましい。
【００１１】
本発明によれば、装置を複数の部分に分解できるので、装置の搬送の際に、梱包や持ち運びが容易になる。このような装置は、レンタルとして使用される場合が多いので、このように分解可能であることが搬送が楽になるため好ましい。特に、宅配便による輸送が可能なように、縦・横・高さの合計が１６００ｍｍ以下の寸法、重量２５ｋｇ以下に分割できることが好ましい。その観点からは、下部ケーシングもさらに分割可能であることが好ましい。
【発明の効果】
【００１２】
本発明によれば、被撮影者によるセルフ撮影と、オペレータによる撮影とに適した姿勢をとることのできる顔写真撮影装置を提供できる。多くの人を連続的に撮影する場合はオペレータによる撮影に切り換えることにより、写真撮影の作業効率が向上する。
【図面の簡単な説明】
【００１３】
【図１】本発明の実施の形態に係る顔写真撮影装置の外観を示す斜視図である。
【図２】図１の顔写真撮影装置のブロック図である。
【図３】図１の顔写真撮影装置の上部ケーシングと下部ケーシングとの連結部の構造の一例を示す図であり、図３（Ａ）は側断面図、図３（Ｂ）は平面図である。
【図４】図１の顔写真撮影装置の使用例を示す図であり、図４（Ａ）は被撮影者自身によるセルフ撮影、図４（Ｂ）はオペレータによる撮影例を示す。
【図５】図１の顔写真撮影装置の撮影手順の一例を示すフローチャートである。
【図６】図１の顔写真撮影装置の操作パネルの表示例を示す図である。
【図７】図１の顔写真撮影装置の操作パネルの表示例を示す図である。
【図８】図１の顔写真撮影装置の操作パネルの表示例を示す図である。
【図９】図１の顔写真撮影装置の撮影手順の他の例を示すフローチャートである。
【図１０】図１の顔写真撮影装置の操作パネルの表示例を示す図である。
【発明を実施するための形態】
【００１４】
以下、本発明の実施の形態について、図面を参照しながら詳細に説明する。
図１、２を参照して、本発明の実施の形態に係る顔写真撮影装置の外観を説明する。
顔写真撮影装置１は、図１に示すように、上部ケーシング１０と下部ケーシング３０とを有する。両ケーシング１０、３０内には、カメラ１１、スピーカー１２、ランプ１３、操作パネル３３、制御部３７、カード挿入部３４、カード読み取り部３５、カード回収箱３６などが収容されている。また、両ケーシング１０、３０は後述する回転機構により連結されているとともに、分離可能である。
【００１５】
上部ケーシング１０は、直方体状の形状であり、図１の右側に示す面１０ａが、被撮影者が対向する前面となる。上部ケーシング１０内部にはカメラ１１、スピーカー１２、ランプ１３が主に収容されている。
【００１６】
カメラ１１は、被撮影者を撮影するデジタルカメラであり、光学レンズ、同レンズを駆動するモータ、ＣＣＤ等の撮像素子、Ａ／Ｄ変換器などを備える。カメラは、光学レンズが上部ケーシングの前面１０ａ中央のやや上部から前方に突き出るように配置されている。レンズから入力された画像は撮像素子で光電変換され、Ａ／Ｄ変換器でデジタルデータに変換される。このデジタルデータは、後述する、下部ケーシング３０内に収容された制御部３７に送られる。
【００１７】
スピーカー１２は、被撮影者に撮影手順を示す音声を発するものであり、上部ケーシング前面１０ａのカメラ１１のレンズの両側に配置されている。音声は、制御部３７のメモリなどに記録されている。
ランプ１３は、スピーカー１２から発せられる音声に従って撮影開始をカウントダウンするものであり、この例では、３個のランプが、上部ケーシング前面１０ａのカメラ１１のレンズの下方に縦に並んで配置されている。
【００１８】
カメラ１１、スピーカー１２、ランプ１３の信号線や電源ラインは、上部ケーシング１０の下面に開けられた開口（図３の符号１０ｂ）から下方の下部ケーシング３０内に延びている。
【００１９】
下部ケーシング３０は、上部ケーシング１０よりも一回り大きい略直方体状であり、上面と前面との間の角に傾斜面３１が形成されている。下部ケーシング３０には、操作パネル３３、カード挿入部３４、カード読み取り部３５、カード回収箱３６、制御部３７等が収容されている。
【００２０】
操作パネル３３は、下部ケーシング３０の傾斜面３１に配置されており、タッチ式の入力画面（キーボードやテンキー、タッチボタンなど）や、入力された情報を表示する表示部を表示する液晶パネルである。操作パネル３３には、制御部３７から送られる情報が表示されるととともに、入力画面から入力された情報が制御部３７に入力される。
カード挿入部３４は、傾斜面３１の操作パネル３３の側方に形成されており、被撮影者を示す情報が記されたカードを挿入する。カードとしては、例えば、被撮影者を示す情報を二次元バーコードにコード化したものが使用される。他に、ＱＲコードや磁気記録式のコードなどを使用することもできる。カード読み取り部３５は、下部ケーシング３０内に配置されており、カード挿入部３４に挿入されたカードの情報を読み取る。この例では、二次元バーコードリーダーが使用される。読み取られた情報は制御部３７に送られる。カード読み取り部３５の下方には、カード回収ボックス３６が配置されており、読み取り後のカードを回収することもできる。
【００２１】
制御部３７は、下部ケーシング３０内に配置され、ＣＰＵやメモリなどから構成される。ＣＰＵは、前述の各部と電気的に接続されており、各部に制御信号を出力するとともに、各部からの信号が入力される。また、ＣＰＵにはカメラ１１から送られた撮影画像を画像処理するプログラムが備えられている。このプログラムにより、撮影された画像に対してトリミングや寸法の調整が行われる。調整方法としては、既存の画像処置技術が適用される。例えば、顔の目や鼻、口の位置を検出して、写真のフレームの中の顔が写った位置を特定し、顔が中心にくるようにトリミングして適宜な寸法に拡大或いは縮小する（例えば、特開２００３−９２７２６参照）。このような機能を備えることにより、被撮影者の身長や立ち位置が許容範囲内であれば、顔がほぼ中心となるようにプリントすることができる。
【００２２】
下部ケーシング３０の上面には、制御部３７と、上部ケーシング１０内に収容されているカメラ１１、スピーカー１２、ランプ１３とを接続するラインを通す開口（図３の符号３０ａ）が開けられている。この開口３０ａは、上部ケーシング１０に形成された開口１０ｂと同軸上に形成されるとともに、同開口と同じ径であることが好ましい。
【００２３】
なお、下部ケーシング３０に、プリンタ５０を収容することもできる。この場合、ＩＤカードなどに顔写真を印刷することにより、装置１をカード発行装置としても使用できる（詳細後述）。
【００２４】
図３を参照して、上部ケーシング１０と下部ケーシング３０との連結部の構造の一例を説明する。
前述のように上部ケーシング１０は下部ケーシング３０から取り外し可能で、かつ、下部ケーシング３０に対して水平面上を反転可能に取り付けられている。さらに、両ケーシング１０、３０には、上部ケーシング１０が下部ケーシング３０に対して１８０°以上回転しないような回転規制部が設けられている。
【００２５】
上部ケーシング１０の下面には、内側に凹んだ凹部２１が形成されている。また、同ケーシングの左右の側面下端の中央には、外方向に張り出した取り付け片２３が設けられている。同片２３には、ボルトＢが通される孔２４が開けられている。一方、下部ケーシング３０の上面には、この孔２４と同軸上を延びるネジ孔４１が開けられている。上部ケーシング３０の孔２４からボルトＢを通して下部ケーシング３０のネジ孔４１に螺合させることにより、上下のケーシング１０、３０が固定される。
【００２６】
上部ケーシング１０の凹部２１には、配線が通される開口１０ｂの中心を中心にして環状の回転テーブル２５が固定されている。回転テーブル２５としては、例えば、ベアリング式のものを使用できる。回転テーブル２５の下面は、上部ケーシング１０の下面（取り付け片２３の下面）とほぼ同じ面よりもやや下方に突き出ていることが好ましい。また、回転テーブル２５の下面に、ゴムなどで作製された滑り止め部材が取り付けられていると、上部ケーシング１０の安定性が良くなるので好ましい。上下シーシング１０、３０を固定しているボルトＢを外すと、上部ケーシング１０は下部ケーシング３０から分離可能となり、上部ケーシング１０に対して縦軸回りの力を加えると、回転テーブル２５により上部ケーシング１０は下部ケーシング３０に対して開口１０ｂの中心を中心にして回転する。
【００２７】
回転規制部は、上部ケーシング１０の凹部２１に形成された突出部２７と、下部ケーシング３０の上面に形成されたストッパー４３とからなる。突出部２７は、開口１０ｂの周囲のリング状部２８と、リング状部２８の外周の一部から外方向に張り出した円弧部２９とからなる。円弧部２９の中心角度は９０°である。突出部２７の高さは、凹部２１の深さよりも低い。
【００２８】
ストッパー４３は、下部ケーシング３０の上面の開口３０ａからやや外側に、円弧状に形成されている。平面視において、ストッパー４３は、上部ケーシング１０の突出部２７のリング状部２８より外側で、円弧部２９と同じ径方向の位置に形成されている。ストッパー４３の中心角度は９０°である。
【００２９】
回転規制作用について図３（Ｂ）を参照して説明する。図３（Ｂ）は、上部ケーシングの突出部と下部ケーシングのストッパーとの平面上の位置関係を示す図である。
図３（Ｂ）の実線に示す姿勢を、上下ケーシング１０、３０の前面が同じ向きを向いている姿勢とする。この図では、上部ケーシング１０の前面１０ａが図の下側を向いているとする。この姿勢において、上部ケーシング１０の突出部２７の円弧部２９は、図の右側の端面２９ａが、下部ケーシング３０のストッパー４３の右側の端面４３ａに当接している。上部ケーシング１０を図の時計方向に回転させると、図３（Ｂ）の二点鎖線で示すように、やがて、突出部２７の円弧部２９の左側の端面２９ｂが、ストッパー４３の左側の端面４３ｂに当接して、上部ケーシング１０の回転が規制される。この姿勢においては、上部ケーシング１０は、下部ケーシング３０に対して１８０°回転し、前面１０ａが下部ケーシング３０の前面（操作パネル３１側の面）の反対側に回転したことになる。そして、上部ケーシング１０はこれ以上回転不能であるので、上部ケーシング１０の下部ケーシング３０に対する回転角度が１８０°に規制される。
【００３０】
上部ケーシング１０の回転手段や回転規制手段として他の手段を使用することもできる。また、上部ケーシング１０の回転角度を任意に設定できるようにしてもよい。
【００３１】
図４を参照して、顔写真撮影装置１の使用例を説明する。
被撮影者が自分で撮影する場合は、図４（Ａ）に示すように、上部ケーシング１０の前面１０ａと下部ケーシング３０の傾斜面３１を同じ向きに合わせる。そして、被撮影者Ｐ１が前面側に立って操作パネル３３を操作しながら撮影を行う。
一方、オペレータが撮影する場合は、図４（Ｂ）に示すように、前述の方法で上部ケーシング１０を下部ケーシング３０に対して回転させて、上部ケーシング１０の前面１０ａを下部ケーシング３０の傾斜面３１の向きと反対方向に向かせる。そして、被撮影者Ｐ１は上部ケーシング１０の前面１０ａに立ち、オペレータＰ２が傾斜面３１の側に立って操作パネル３３を操作する。
【００３２】
この顔写真撮影装置１を搬送したり収納する場合は、前述のように、ボルトＢを外して、上部ケーシング１０と下部ケーシング３０とを分離可能な状態として、カメラなどの配線を制御部から外す。これにより、上部ケーシング１０と下部ケーシング３０とが分離され、梱包や持ち運びしやすくなる。
【００３３】
なお、下部ケーシング３０をさらに複数の部位に分割可能とすることもできる。この場合、分割した部位の寸法を、縦・横・高さの合計が１６００ｍｍ以下、重量２５ｋｇ以下とすることが好ましい。これにより、遠隔地への輸送時に各々の部位を宅配便で輸送できる。
【００３４】
次に、図５〜８を参照して、本発明の顔写真撮影装置の動作の例を説明する。この例では、社員証用の顔写真を撮影する場合について説明する。
まず、Ｓ１において、被撮影者毎に撮影カードを作成する。撮影カードには、被撮影者の情報（氏名、社員番号など）が、例えば、二次元バーコードで記されている。撮影時、被撮影者はこの撮影カードを持参する。そして、Ｓ２において、被撮影者によるセルフ撮影か、専用のオペレータによる撮影かを選択する。オペレータによる撮影の場合は、Ｓ３に進み、前述の方法で、上部ケーシング１０を下部ケーシング３０に対して１８０°回転させる。これにより、レンズ１１の向きと操作パネル３３の向きとが反対方向になり、オペレータは操作パネル３３の前面に立って操作することができ、作業性が良くなる。
【００３５】
Ｓ２においてセルフ撮影が選択された後、あるいは、Ｓ２においてオペレータ撮影が選択されてＳ３で上部ケーシング１０の反転作業が完了した後、Ｓ４に進む。Ｓ４においては、図６（Ａ）に示すような、「撮影カードを読み取り部に挿入して下さい。」という画面が表示される。被撮影者又はオペレータは、装置１のカード挿入部３４に撮影カードを挿入する。すると、Ｓ５において、図６（Ｂ）に示すように、操作パネル上に、被撮影者の「社員番号」、「氏名」とともに、「間違いがないか確認してください」、「戻る」、「ＯＫ」等の画面が表示される。
【００３６】
被撮影者又はオペレータは、Ｓ６において、操作パネルに表示された情報（図６（Ｂ）参照）が正しいかどうかを判定し、正しくなければ、「戻る」をタッチし、入力ステップから繰り返す。正しい場合は、「ＯＫ」をタッチし、Ｓ７に進み、写真撮影を行う。この際、操作パネル上には、図７（Ａ）に示すように、「撮影実行」画面が表示される。被撮影者又はオペレータがこの画面をタッチすると、この例では３秒後に撮影が実行される。この際、撮影実行までのカウントダウンが開始され、上部ケーシング１０のスピーカー１２から、「３」、「２」、「１」のカウントダウン音声が発せられ、ランプ１３がカウントダウンに合わせて消灯する。この際、複数枚の写真を撮影してもよい。
【００３７】
撮影が終了すると、Ｓ８に進み、写真を確認する。この際、図７（Ｂ）に示すように、操作パネルには。写真と、「撮り直し」、「ＯＫ」の画面が表示される。複数枚撮影した場合は、複数枚の写真が表示される。そして、Ｓ９に進み、写真の撮り直しが必要かどうかが選択され、取り直しが必要な場合は、「撮り直し」にタッチし、Ｓ７に戻って再度写真撮影を行う。複数枚撮影した場合は、登録する写真を選択する。撮り直しが不要な場合は、「ＯＫ」の画面にタッチする。
【００３８】
その後、Ｓ９に進み、写真画像を登録する。この際、操作パネルには、図８に示すように、被撮影者の写真画像と、社員番号、氏名とともに、「登録」画面が表示される。「登録」をタッチすると、被撮影者の写真が、この被撮影者を示す情報（氏名や社員番号など）に関連付けられて制御部３７に記録される。この関連情報を氏名や社員番号とすると、制御部３７には被撮影者の個人情報（住所や生年月日）などは記録されないので、装置１には個人情報が残らない。
【００３９】
次に、図９〜１０を参照して、この顔写真撮影装置１をＩＤカード発行装置として使用する場合の動作例を説明する。この例では、イベント会場などで、参加者の個人情報（氏名や住所など）と顔写真とを印刷した簡易的なＩＤカードを発行する例を説明する。この場合、装置１にはプリンタ５０や、カードの台紙を収容する装置、カードフィーダーなどを備える。図２に示すように、プリンタ５０やカードフィーダーは下部ケーシング３０内に収容される。
【００４０】
まず、Ｓ２１において、被撮影者によるセルフ撮影か、専用のオペレータによる撮影かを選択する。オペレータによる撮影の場合は、Ｓ２２に進み、前述の方法で、上部ケーシング１０を下部ケーシング３０に対して１８０°回転させる。
【００４１】
Ｓ２１においてセルフ撮影が選択された後、あるいは、Ｓ２１においてオペレータ撮影が選択されてＳ２２で上部ケーシング１０の反転作業が完了した後、Ｓ２３に進む。Ｓ２３においては、操作パネル３３に、図１０（Ａ）に示すような、キーボードなどの入力画面と、入力した情報が表示される表示画面が表示される。被撮影者又はオペレータは、キーボードから、氏名や住所、そのイベントに則した情報などを入力する。入力した情報は、随時表示画面に表示され、その都度正誤を訂正する。入力後、Ｓ２４において、図１０（Ｂ）に示すように、操作パネル上に、被撮影者の「氏名」や「住所」などの入力された情報とともに、「間違いがないか確認してください」、「戻る」、「ＯＫ」等の画面が表示される。
【００４２】
被撮影者又はオペレータは、Ｓ２６において、操作パネルに表示された情報（図１０（Ｂ）参照）が正しいかどうかを判定し、正しくなければ、「戻る」をタッチし、入力ステップから繰り返す。正しい場合は、「ＯＫ」をタッチすると、Ｓ２７に進み、写真撮影を行う。この際、操作パネル上には、図７（Ａ）に示すように、「撮影実行」画面が表示され、被撮影者又はオペレータは前述と同様の方法で写真撮影を行う。
【００４３】
撮影が終了すると、Ｓ２８、Ｓ２９に順に進み、前述と同様の方法で、写真を確認と、取り直しの判定を行う。
【００４４】
その後、Ｓ３０に進み、所定のカードに、入力された個人情報と撮影された顔写真を印刷し、カードを発行する。入力された情報や顔写真のデータは一時的に制御部３７に記録されているが、カード発行後消去することにより、個人情報が装置に残らないようにすることもできる。
【符号の説明】
【００４５】
１  顔写真撮影装置
１０  上部ケーシング                    １１  カメラ
１２  スピーカー                        １３  ランプ
２１  凹部                              ２３  取り付け片
２４  孔                                ２５  回転テーブル
２７  突出部                            ２８  リング状部
２９  円弧部
３０  下部ケーシング                    ３１  傾斜面
３３  操作パネル                        ３４  カード挿入部
３５  カード読み取り部                  ３６  カード回収箱
３７  制御部                            ４１  ネジ孔
４３  ストッパー                        ５０  プリンタ
【図１】
0005486272.tif 000002
【図２】
0005486272.tif 000003
【図３】
0005486272.tif 000004
【図４】
0005486272.tif 000005
【図５】
0005486272.tif 000006
【図６】
0005486272.tif 000007
【図７】
0005486272.tif 000008
【図８】
0005486272.tif 000009
【図９】
0005486272.tif 000010
【図１０】
0005486272.tif 000011